(57)【特許請求の範囲】
【請求項１】
メインリール軸を中心に回転可能に保持され、外周に複数種類の図柄が表示された少なくとも３個の第１〜第３メインリールと、
前記第１〜第３メインリールを個別に回転可能なメインリール駆動源と、
メダルの投入を条件に、前記メインリール駆動源により、前記第１〜第３メインリールを回転させるためのスタートスイッチと、
前記メインリール駆動源により回転する前記第１〜第３メインリールを個別に停止可能な第１〜第３ストップスイッチと、
前記メインリール駆動源、前記スタートスイッチ及び前記第１〜第３ストップスイッチに個々に接続され、遊技を進行させるための遊技制御装置とを備えるスロットマシンにおいて、
前記スロットマシンの前面には、
前記スロットマシンの高さの途中に位置する中パネルと、
前記中パネルの上側に位置する上パネルと、
前記中パネルの下側に位置する下パネルとの３枚のパネルを有し、
前記３個の第１〜第３メインリールは、
同一直線上に配置される垂直のメインリール軸にそれぞれ横方向に回転可能に支持されるとともに、
前記３枚のパネルの少なくとも２枚のパネルに、分散して配置されていることを特徴とするスロットマシン。
【請求項２】
請求項１に記載のスロットマシンであって、
前記中パネルには、
前記遊技制御装置に接続されるとともに、
複数個のサブリールを表示可能な画像表示装置を配置していることを特徴とするスロットマシン。
【請求項３】
請求項１に記載のスロットマシンであって、
前記中パネルには、
前記メインリール軸と直交するとともに、
同一直線上に配置されるサブリール軸を有し、当該サブリール軸を中心に回転可能に保持され、外周に複数種類の図柄が表示された少なくとも２個の第１、第２サブリールと、
前記遊技制御装置に接続され、前記第１、第２サブリールを個別に回転可能なサブリール駆動源とを備えていることを特徴とするスロットマシン。
【請求項４】
請求項１〜３のいずれか１項に記載のスロットマシンであって、
前記上パネルには、
前記３個の第１〜第３メインリールのうち、２個が配置され、
前記下パネルには、
前記３個の第１〜第３メインリールのうち、残る１個が配置されていることを特徴とするスロットマシン。
【請求項５】
請求項１〜３のいずれか１項に記載のスロットマシンであって、
前記３個の第１〜第３メインリールは、
前記３枚のパネルに１個ずつ分散して配置されていることを特徴とするスロットマシン。
【発明の詳細な説明】
【技術分野】
【０００１】
この発明は、スロットマシンに関し、３個のメインリールを横回転とし、上・中・下パネルの３枚の少なくとも２枚のパネルに分散して配置することができるようにしたものである。
【背景技術】
【０００２】
従来、３個或いは４個のリールを横回転として、上下方向に重ねて配置したものが知られている（例えば特許文献１の段落番号「００２８」〜「００３１」、図１参照）。
【特許文献１】特開2003-260165号公報（段落番号「００２８」〜「００３１」、図１）
【特許文献２】特開2000-279570号（段落番号「００１４」〜「００１６」、図１及び図２）
【発明の開示】
【発明が解決しようとする課題】
【０００３】
しかし、上記した従来の３個或いは４個のリールは、上下方向に重ねて配置されていたので、縦方向に回転する従前のリールを単に横方向に旋回させて配置したに過ぎず、変化に乏しいという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００４】
すなわち、請求項１に記載の発明は、３個のメインリールを横回転とし、上・中・下パネルの３枚の少なくとも２枚のパネルに分散して配置することができるようにしたものである。
すなわち、請求項１に記載の発明によれば、メインリールを横回転することで、中パネル以外の上パネルや下パネルに配置することができ、遊技者の視線を上パネルや下パネルに向けさせることができる。
（請求項２）
請求項２に記載の発明は、上記した請求項１に記載の発明の目的に加え、次の点を目的とする。
【０００５】
すなわち、請求項２に記載の発明は、画像表示装置に複数個のサブリールを表示することで、実リールであるメインリールと画像であるサブリールとを組み合わせた遊技を行うことができるようにしたものである。
（請求項３）
請求項３に記載の発明は、上記した請求項１に記載の発明の目的に加え、次の点を目的とする。
【０００６】
すなわち、請求項３に記載の発明は、縦回転する実リールでサブリールを配置することで、実リールであるメインリールと、同じ実リールであるサブリールとを組み合わせた遊技を行うことができるようにしたものである。
（請求項４）
請求項４に記載の発明は、上記した請求項１〜３のいずれか１項に記載の発明の目的に加え、次の点を目的とする。
【０００７】
すなわち、請求項４に記載の発明は、中パネルを除き、３個のメインリールを上パネルと下パネルとに配置することができるようにしたものである。
（請求項５）
請求項５に記載の発明は、上記した請求項１〜３のいずれか１項に記載の発明の目的に加え、次の点を目的とする。
【０００８】
すなわち、請求項５に記載の発明は、３個のメインリールを、上・中・下パネルの３枚に分散して配置することができるようにしたものである。
【課題を解決するための手段】
【０００９】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１０】
第１に、スロットマシン(10)は、例えば図１及び図２に示すように、次の構成を備える。
（１）第１〜第３メインリール(70,80,90)
第１〜第３メインリール(70,80,90)は、少なくとも３個有り、メインリール軸(M)を中心に回転可能に保持され、外周に複数種類の図柄が表示されたものである。
【００１１】
なお、第１〜第３メインリール(70,80,90)の個数として、３個を例示したが、これに限定されず、４個以上としても良い。
（２）メインリール駆動源（例えば第１〜第３メインリールモータ71,81,91）
メインリール駆動源（例えば第１〜第３メインリールモータ71,81,91）は、第１〜第３メインリール(70,80,90)を個別に回転可能なものである。
【００１２】
なお、第１〜第３メインリールモータ(71,81,91)の個数を、第１〜第３メインリール(70,80,90)の個数と等しく設定したが、これに限定されず、第１〜第３メインリール(70,80,90)の個数と第１〜第３メインリールモータ(71,81,91)の個数とを異ならせても良い。
（３）スタートスイッチ(120)
スタートスイッチ(120)は、メダルの投入を条件に、メインリール駆動源（例えば第１〜第３メインリールモータ71,81,91）により、第１〜第３メインリール(70,80,90)を回転させるためのものである。
【００１３】
（４）第１〜第３ストップスイッチ(130〜132)
第１〜第３ストップスイッチ(130〜132)は、メインリール駆動源（例えば第１〜第３メインリールモータ71,81,91）により回転する第１〜第３メインリール(70,80,90)を個別に停止可能なものである。
なお、第１〜第３ストップスイッチ(130〜132)の個数として、３個を例示したが、これに限定されず、４個以上としても良い。
【００１４】
（５）遊技制御装置(200)
遊技制御装置(200)は、メインリール駆動源（例えば第１〜第３メインリールモータ71,81,91）、スタートスイッチ(120)及び第１〜第３ストップスイッチ(130〜132)に個々に接続され、遊技を進行させるためのものである。
第２に、スロットマシン(10)の前面には、例えば図１に示すように、次の３枚のパネルを有する。
【００１５】
（６）中パネル(20)
中パネル(20)は、スロットマシン(10)の高さの途中に位置するものである。
（７）上パネル(30)
上パネル(30)は、中パネル(20)の上側に位置するものである。
（８）下パネル(50)
下パネル(50)は、中パネル(20)の下側に位置するものである。
【００１６】
第３に、３個の第１〜第３メインリール(70,80,90)は、例えば図１に示すように、同一直線上に配置される垂直のメインリール軸(M)にそれぞれ横方向に回転可能に支持されるとともに、３枚のパネルの少なくとも２枚のパネルに、分散して配置されている。
（請求項２）
請求項２に記載の発明は、上記した請求項１に記載の発明の特徴点に加え、次の点を特徴とする。
【００１７】
すなわち、中パネル(20)には、例えば図１及び図２に示すように、画像表示装置(60)を配置している。
画像表示装置(60)は、例えば図２及び図４に示すように、遊技制御装置(200)に接続されるとともに、複数個（例えば３個）のサブリール(例えば第１〜第３サブリール61〜63)を表示可能なものである。
【００１８】
なお、サブリール(例えば第１〜第３サブリール61〜63)の個数として、３個を例示したが、これに限定されず、２個或いは４個以上としても良い。
（請求項３）
請求項３に記載の発明は、上記した請求項１に記載の発明の特徴点に加え、次の点を特徴とする。
【００１９】
すなわち、中パネル(20)には、例えば図５及び図６に示すように、次の構成を備える。
（１）第１、第２サブリール(540,550)
第１、第２サブリール(540,550)は、少なくとも２個有り、メインリール軸(M)と直交するとともに、同一直線上に配置されるサブリール軸(S)を有し、当該サブリール軸(S)を中心に回転可能に保持され、外周に複数種類の図柄が表示されたものである。
【００２０】
なお、第１、第２サブリール(540,550)の個数として、２個を例示したが、これに限定されず、３個以上としても良い。
（２）サブリール駆動源（例えば第１、第２サブリールモータ541,551）
サブリール駆動源（例えば第１、第２サブリールモータ541,551）は、遊技制御装置(200)に接続され、第１、第２サブリール(540,550)を個別に回転可能なものである。
【００２１】
なお、第１、第２サブリールモータ(541,551)の個数を、第１、第２サブリール(540,550)の個数と等しく設定したが、これに限定されず、第１、第２サブリール(540,550)の個数と第１、第２サブリールモータ(541,551)の個数とを異ならせても良い。
（請求項４）
請求項４に記載の発明は、上記した請求項１〜３のいずれか１項に記載の発明の特徴点に加え、次の点を特徴とする。
【００２２】
第１に、上パネル(30)には、例えば図１に示すように、３個の第１〜第３メインリール(70,80,90)のうち、２個が配置されている。
第２に、下パネル(50)には、例えば図１に示すように、３個の第１〜第３メインリール(70,80,90)のうち、残る１個が配置されている。
（請求項５）
請求項５に記載の発明は、上記した請求項１〜３のいずれか１項に記載の発明の特徴点に加え、次の点を特徴とする。
【００２３】
すなわち、３個の第１〜第３メインリール(510,520,530)は、例えば図５に示すように、３枚のパネルに１個ずつ分散して配置されている。
【発明の効果】
【００２４】
本発明は、以上のように構成されているので、以下に記載されるような効果を奏する。
（請求項１）
請求項１に記載の発明によれば、次のような効果を奏する。
すなわち、請求項１に記載の発明によれば、３個のメインリールを横回転とし、上・中・下パネルの３枚の少なくとも２枚のパネルに分散して配置することができる。
【００２５】
すなわち、請求項１に記載の発明によれば、メインリールを横回転することで、中パネル以外の上パネルや下パネルに配置することができ、遊技者の視線を上パネルや下パネルに向けさせることができる。
（請求項２）
請求項２に記載の発明によれば、上記した請求項１に記載の発明の効果に加え、次のような効果を奏する。
【００２６】
すなわち、請求項２に記載の発明によれば、画像表示装置に複数個のサブリールを表示することで、実リールであるメインリールと画像であるサブリールとを組み合わせた遊技を行うことができる。
（請求項３）
請求項３に記載の発明によれば、上記した請求項１に記載の発明の効果に加え、次のような効果を奏する。
【００２７】
すなわち、請求項３に記載の発明によれば、縦回転する実リールでサブリールを配置することで、実リールであるメインリールと、同じ実リールであるサブリールとを組み合わせた遊技を行うことができる。
（請求項４）
請求項４に記載の発明によれば、上記した請求項１〜３のいずれか１項に記載の発明の効果に加え、次のような効果を奏する。
【００２８】
すなわち、請求項４に記載の発明によれば、中パネルを除き、３個のメインリールを上パネルと下パネルとに配置することができる。
（請求項５）
請求項５に記載の発明によれば、上記した請求項１〜３のいずれか１項に記載の発明の効果に加え、次のような効果を奏する。
【００２９】
すなわち、請求項５に記載の発明によれば、３個のメインリールを、上・中・下パネルの３枚に分散して配置することができる。
【発明を実施するための最良の形態】
【００３０】
（図面の説明）
図１〜４は、本発明の第１の実施の形態の一例をそれぞれ示すものである。
図１は、スロットマシンの概略正面図、図２はスロットマシンの動作を説明するための概略ブロック図、図３はメインリールの拡大正面図、図４は画像表示装置に表示されたサブルールとストップスイッチとの拡大正面図をそれぞれ示すものである。
【００３１】
図５及び図６は、本発明の第２の実施の形態の一例をそれぞれ示すものである。
図５は、スロットマシンの概略正面図、図６はスロットマシンの動作を説明するための概略ブロック図をそれぞれ示すものである。
（スロットマシン10）
図中、10は、スロットマシンを示すものである。
【００３２】
スロットマシン10の前面には、図１に示すように、次の４枚のパネルを有する。
なお、スロットマシン10のパネルは、次の（１）〜（４）に限定されない。
（１）中パネル20
中パネル20は、スロットマシン10の高さの途中に位置するものである。
（２）上パネル30
上パネル(30)は、中パネル20の上側に位置するものである。
【００３３】
（３）操作パネル40
操作パネル40は、中パネル20の下側に位置し、後述するが、各種の操作スイッチ類が配置されている。
（４）下パネル50
下パネル50は、操作パネル40の下側に位置するものである。
（中パネル20）
中パネル20には、図１及び図２に示すように、画像表示装置60を配置している。
【００３４】
画像表示装置60は、後述する図２の遊技制御装置200に接続されるとともに、図４を用いて後述するが、複数個、例えば３個の第１〜第３サブリール61〜63を表示可能なものである。
なお、第１〜第３サブリール61〜63の個数として、３個を例示したが、これに限定されず、２個或いは４個以上としても良い。
【００３５】
具体的には、画像表示装置60は、例えば液晶ユニットから構成されている。
なお、画像表示装置60として、液晶ユニットを例示したが、これに限定されず、例えばドット・マトリックス等から構成しても良い。
（上パネル30）
上パネル30には、図１に示すように、２個の第１、第２メインリール70,80を配置している。
【００３６】
第１、第２メインリール70,80は、後述するが、下パネル50に配置された第３メインリール90を含めて、少なくとも３個有り、メインリール軸Ｍを中心に回転可能に保持され、図３を用いて後述するが、外周に複数種類の図柄が表示されたものである。
なお、第１〜第３メインリール70,80,90の個数として、３個を例示したが、これに限定されず、４個以上としても良い。
【００３７】
３個の第１〜第３メインリール70,80,90は、図１に示すように、同一直線上に配置される垂直のメインリール軸Ｍにそれぞれ横方向に回転可能に支持されるとともに、３枚のパネルの少なくとも２枚のパネルに、分散して配置されている。
第１〜第３メインリール70,80,90には、図２に示すように、メインリール駆動源として、例えば３個の第１〜第３メインリールモータ71,81,91を備える。
【００３８】
第１〜第３メインリールモータ71,81,91は、後述する図２の遊技制御装置200に接続され、第１〜第３メインリール70,80,90を個別に回転可能なものである。
なお、第１〜第３メインリールモータ71,81,91の個数を、第１〜第３メインリール70,80,90の個数と等しく設定したが、これに限定されず、第１〜第３メインリール70,80,90の個数と第１〜第３メインリールモータ71,81,91の個数とを異ならせても良い。
（操作パネル40）
操作パネル40の図１の向かって右側には、メダル投入口100を設けている。
【００３９】
メダル投入口100は、メダルを投入するためのものである。
メダル投入口100の図１の向かって左側には、ベットスイッチ110を設けている。ベットスイッチ110は、メダル投入口100から規定枚数（例えば３枚）を超えて内部に投入され、クレジット（貯留）されたクレジットメダルをベットする（賭ける）ためのものである。
なお、ベットスイッチ110の個数は、単数でも複数個でも良い。
【００４０】
ベットスイッチ110の下側には、スタートスイッチ120を設けている。
スタートスイッチ120は、第１〜第３メインリール70,80,90の回転を開始させるためのものである。具体的には、スタートスイッチ120は、レバー状に形成され、レバーを傾けることで操作する。スタートスイッチ120を操作すると、３個の第１〜第３メインリール70,80,90が同時に回転を開始する。
【００４１】
スタートスイッチ120の向かって右隣には、少なくとも３個、例えば３個の第１〜第３ストップスイッチ130〜132を設けている。
３個の第１〜第３ストップスイッチ130〜132は、第１〜第３メインリール70,80,90の回転を個別に停止可能なものである。
すなわち、図１の左端の第１ストップスイッチ130を操作すると、上パネル30の上段に位置する第１メインリール70の回転が停止する。中央の第２ストップスイッチ131を操作すると、上パネル30の下段に位置する第２メインリール80の回転が停止する。右端の第３ストップスイッチ132を操作すると、後述する下パネル50に位置する第３メインリール90の回転が停止する。
【００４２】
なお、第１〜第３ストップスイッチ130〜132の個数として、３個を例示したが、これに限定されず、４個以上としても良い。
（下パネル50）
下パネル50には、図１に示すように、残る１個の第３メインリール90を配置している。
また、下パネル50の下側には、メダル貯留皿140を設けている。
【００４３】
メダル貯留皿140には、後述する図２のホッパーユニット160から払い出されたメダルが貯留される。
メダル貯留皿140の右側には、１個のスピーカ150が配置されている。スピーカ150は、各種の効果音を発生させるものである。
なお、スピーカ150の個数として、１個を例示したが、これに限定されずに、複数個設けても良い。
（遊技制御装置200）
つぎに、図２を用いて、遊技制御装置200について説明する。
【００４４】
遊技制御装置200は、遊技制御手段の一例であり、スロットマシン10の内部に設けられ、遊技の進行を制御するためのものである。
なお、遊技制御手段として、遊技制御装置200を例示したが、これに限定されない。
具体的には、遊技制御装置200は、図２に示すように、大別すると、次の２つの手段を備える。
【００４５】
なお、次の（１）〜（２）の手段の説明については、後述する。
（１）メイン制御手段300
（２）サブ制御手段400
なお、遊技制御装置200の手段は、上記した（１）〜（２）に限定されない。
（メイン制御手段300）
つぎに、図２を用いて、メイン制御手段300について説明する。
【００４６】
メイン制御手段300は、遊技の進行を制御するためのものである。
具体的には、メイン制御手段300は、コンピュータであって、図示しないが、例えばＣＰＵを中心に構成され、ＲＯＭやＲＡＭ等の記録媒体、Ｉ／Ｏ等を備えている。
また、記録媒体は、ＲＯＭやＲＡＭに限定されず、そのほか電気的・磁気的・光学的なメモリーやディスク等でも良い。
【００４７】
メイン制御手段300のＣＰＵ（図示せず）は、記録媒体、例えばＲＯＭに記録されたプログラムを読み込むことで、図２に示すように、次の手段として機能する。
なお、次の（１）〜（６）の手段の説明については、後述する。
（１）役抽選手段310
（２）メインリール制御手段320
（３）一般遊技制御手段330
（４）特別遊技制御手段340
（５）利益付与手段350
（６）信号送信手段360
なお、メイン制御手段300の手段は、上記した（１）〜（６）に限定されない。
（メイン制御手段300の入力段）
つぎに、図２を用いて、メイン制御手段300の入力段について説明する。
【００４８】
メイン制御手段300の入力段には、図２に示すように、次のパーツがそれぞれ接続されている。
なお、メイン制御手段300の入力段に接続されるパーツは、次の（１）〜（４）に限定されない。
（１）メダルセンサー101
メダルセンサー101は、メダル投入口100の内部に設けられ、メダル投入口100に投入されたメダルを検出するためのものである。
【００４９】
（２）ベットスイッチ110
（３）スタートスイッチ120
（４）第１〜第３ストップスイッチ130〜132
（メイン制御手段300の出力段）
つぎに、図２を用いて、メイン制御手段300の出力段について説明する。
【００５０】
メイン制御手段300の出力段には、図２に示すように、次のパーツがそれぞれ接続されている。
なお、メイン制御手段300の出力段に接続されるパーツは、次の（１）〜（３）に限定されない。
（１）第１〜第３メインリールモータ71,81,91（メインリール駆動源）
（２）ホッパーユニット160
ホッパーユニット160は、スロットマシン10の内部に設けられている。
【００５１】
ホッパーユニット160は、第１〜第３メインリール70,80,90の図柄が、予め設定された図柄の組み合わせに一致する場合に、遊技者に所定枚数のメダルを払い出すためのものである。
（３）サブ制御手段400
（サブ制御手段400）
サブ制御手段400は、図２に示すように、メイン制御手段300に接続され、メイン制御手段300から一方向に送信される信号、例えばコマンドやデータ等にもとづいて、各種の演出を制御するためのものである。
【００５２】
具体的には、サブ制御手段400は、コンピュータであって、図示しないが、例えばＣＰＵを中心に構成され、ＲＯＭやＲＡＭ等の記録媒体、Ｉ／Ｏ等を備えている。
なお、サブ制御手段400のＣＰＵの数は、１個に限定されず、２個以上のＣＰＵを用いても良い。
また、記録媒体は、ＲＯＭやＲＡＭに限定されず、そのほか電気的・磁気的・光学的なメモリーやディスク等でも良い。
【００５３】
上記サブ制御手段400のＣＰＵ（図示せず）は、記録媒体、例えばＲＯＭに記録されたプログラムを読み込むことで、図２に示すように、大別すると、次の手段として機能する。
なお、次の（１）〜（３）の手段の説明については、後述する。
（１）信号受信手段410
（２）画像制御手段420
（３）効果音発生手段430
なお、サブ制御手段400の手段は、上記した（１）〜（３）に限定されない。
（サブ制御手段400の入力段）
つぎに、図２を用いて、サブ制御手段400の入力段について説明する。
【００５４】
サブ制御手段400の入力段には、図２に示すように、次のパーツが接続されている。
（１）メイン制御手段300
なお、サブ制御手段400の入力段に接続されるパーツは、上記した（１）に限定されない。
（サブ制御手段400の出力段）
つぎに、図１を用いて、サブ制御手段400の出力段について説明する。
【００５５】
サブ制御手段400の出力段には、図２に示すように、次のパーツがそれぞれ接続されている。
（１）画像表示装置60
（２）スピーカ150
なお、サブ制御手段400の出力段に接続されるパーツは、上記した（１）〜（２）に限定されない。
（役抽選手段310）
役抽選手段310は、役の当否を抽選により決定するものである。
【００５６】
まず、役の当否には、次の種類がある。
（１）役の当選
（２）ハズレ
役には、次の種類がある。
なお、次の（３）〜（５）の役の説明については、後述する。
【００５７】
また、役は、役のうち１個だけ当選する場合のほか、複数の役が同時に２以上、当選する場合もあり、役抽選手段310はいわゆるグループ抽選が可能となっている。
（３）小役
（４）再遊技（リプレイ）
（５）ボーナス
なお、役の種類は、上記した（３）〜（５）に限定されない。
（小役）
小役は、予め設定された小役図柄が揃って入賞することを条件に、所定枚数のメダルを払い出すための役である。
（再遊技）
再遊技は、いわゆるリプレイとも呼ばれ、予め設定されたリプレイ図柄が揃うことを条件に、メダルを投入すること無しに次回の遊技を行えるという役である。
（ボーナス）
ボーナスは、特別遊技への移行役であり、特定役や、前述したようにそれ自体を特別遊技とも呼ぶ。
【００５８】
特別遊技は、一般遊技より遊技者に有利な遊技である。
なお、特別遊技として、ボーナスを例示したが、これに限定されない。また、特定役として、ボーナスを例示したが、これに限定されず、特定の小役等でも良い。
具体的には、ボーナスには、次の種類がある。
なお、ボーナスの種類は、次の（１）〜（３）に限定されない。
【００５９】
（１）ＢＢ移行役
ＢＢ移行役は、ＢＢへの移行役である。
すなわち、ＢＢ図柄を揃えることを条件に、一般遊技から、後述する特別遊技制御手段340による特別遊技であるＢＢへ移行させるための役である。
なお、ＢＢ図柄の入賞時に、メダルを払い出さなくとも良いし、或いはメダルを１枚払い出すようにしても良い。
【００６０】
ＢＢの開始後、遊技者がメダルを３枚投入すると仮定すると、トータルで約２８８枚のメダルが獲得可能であり、例えば３４５枚を超える払い出しで終了する。
（２）ＭＢ移行役
ＭＢ移行役は、ＭＢへの移行役である。
ＭＢ図柄を揃えることを条件に、一般遊技から、後述する特別遊技制御手段340による特別遊技であるＭＢへ移行させるための役である。
【００６１】
なお、ＭＢ図柄の入賞時に、メダルを払い出さなくとも良いし、或いはメダルを１枚払い出すようにしても良い。
ＭＢの開始後、遊技者がメダルを３枚投入すると仮定すると、トータルで約１９２枚のメダルが獲得可能であり、例えば２５３枚を超える払い出しで終了する。なお、ＭＢは、ＢＢに比較して、遊技者が獲得できるメダルの枚数が低く設定されている。
【００６２】
（３）ＲＢ移行役
ＲＢ移行役は、ＲＢへの移行役である。
ＲＢの開始後、遊技者がメダルを３枚投入すると仮定すると、トータルで約９６枚のメダルが獲得可能である。ＲＢは、最高１２回のゲームか、８回の入賞か、いずれか先に達成された条件により終了する。なお、ＲＢは、ＭＢに比較して、遊技者が獲得できるメダルの枚数が低く設定されている。
（メインリール制御手段320）
メインリール制御手段320は、スタートスイッチ120の操作にもとづいて、メインリール駆動源である３個の第１〜第３メインリールモータ71,81,91を駆動し、３個の第１〜第３メインリール70,80,90の回転を開始させ、第１ストップスイッチ130の操作にもとづいて、当該第１ストップスイッチ130が対応する第１メインリール70を個別に停止させ、第２ストップスイッチ131の操作にもとづいて、当該第２ストップスイッチ131が対応する第２メインリール80を個別に停止させ、第３ストップスイッチ132の操作にもとづいて、当該第３ストップスイッチ132が対応する第３メインリール90を個別に停止させるためのものである。
【００６３】
具体的には、メインリール制御手段320は、役抽選手段310による抽選により決定した遊技結果、及び第１〜第３ストップスイッチ130〜132の操作にもとづいて、当該第１〜第３ストップスイッチ130〜132に対応する第１〜第３メインリールモータ71,81,91の停止制御を行うためのものである。
（一般遊技制御手段330）
一般遊技制御手段330は、一般遊技を行わせるためのものである。
（特別遊技制御手段340）
特別遊技制御手段340は、役抽選手段310より当選した役のうち、予め設定された特定役（例えばＢＢ移行役）に当選したことを契機（例えばＢＢ図柄の入賞）に、一般遊技より遊技者に有利な特別遊技（例えばＢＢ）を実行するためのものである。
（利益付与手段350）
利益付与手段350は、第１〜第３メインリール70,80,90にそれぞれ停止表示された図柄の組み合わせが、予め設定された所定の図柄の組み合わせに一致している場合に、予め設定された所定の枚数のメダルを払い出すためのものである。
【００６４】
メダルの払い出しは、ホッパーユニット160を駆動させることにより、メダルを実際に払い出しても良いし、或いはクレジットメダル枚数を増加させるようにしても良い。
（信号送信手段360）
信号送信手段360は、例えばコマンドやデータ等の信号である遊技情報、例えばコマンドやデータをサブ制御手段400に送信するためのものである。
（信号受信手段410）
サブ制御手段400の信号受信手段410は、メイン制御手段300の信号送信手段360から送信された信号である遊技情報を受信するためのものである。
（画像制御手段420）
画像制御手段420は、信号受信手段410が受信した信号にもとづいて、図示しないが、各種の演出画像を画像表示装置60に表示させるためのものである。
【００６５】
具体的には、画像制御手段420には、図２に示すように、次の手段を備える。
なお、画像制御手段420の手段は、次の（１）に限定されない。
（１）サブリール表示手段421
サブリール表示手段421は、図４に示すように、画像表示装置60に複数個、例えば３個の第１〜第３サブリール61〜63を表示するためのものである。
【００６６】
なお、第１〜第３サブリール61〜63の個数として、３個を例示したが、これに限定されず、２個或いは４個以上としても良い。
具体的には、サブリール表示手段421は、スタートスイッチ120の操作にもとづいて、画像表示装置60に表示した第１〜第３サブリール61〜63の図柄の変動を開始させる。すなわち、第１〜第３サブリール61〜63の各図柄を上から下に向かって移動させ、下端部から徐々に消失させ、上端部からは新たな図柄を徐々に出現させることで、サブリール61〜63が画像表示装置60の画面中で回転しているように表示する。
【００６７】
その後、第１ストップスイッチ130の操作にもとづいて、図４の向かって左側のサブリール61の図柄の変動を停止させ、第２ストップスイッチ131の操作にもとづいて、中央のサブリール62の図柄の変動を停止させ、第３ストップスイッチ132の操作にもとづいて、右側のサブリール63の図柄の変動を停止させる。
（効果音発生手段430）
効果音発生手段430は、信号受信手段410が受信した信号にもとづいて、各種の効果音をスピーカ150から出力させるためのものである。
（第１〜第３メインリール70,80,90の図柄）
つぎに、図３を用いて、第１〜第３メインリール70,80,90に表示された図柄について、説明する。
【００６８】
第１〜第３メインリール70,80,90には、互いに異なる図柄を表示させている。
具体的には、上パネル30の上段に配置された第１メインリール70には、例えばアルファベットの大文字の「Ａ」〜「Ｃ」の文字等を表示している。
なお、第１メインリール70の図柄として、アルファベットの大文字の「Ａ」〜「Ｃ」の文字の３種類を例示したが、これに限定されず、実際には３種類以上の種類の図柄を用いている。また、第１メインリール70の図柄として、アルファベットの大文字を用いたが、これに限定されず、他の文字や、絵、数字、記号等を用いても良い。
【００６９】
上パネル30の下段に配置された第２メインリール80には、アルファベットの小文字の「ｄ」〜「ｆ」の文字等を表示している。
なお、第２メインリール80の図柄として、例えばアルファベットの小文字の「ｄ」〜「ｆ」の文字の３種類を例示したが、これに限定されず、実際には３種類以上の種類の図柄を用いている。また、第２メインリール80の図柄として、アルファベットの小文字を用いたが、これに限定されず、他の文字や、絵、数字、記号等を用いても良い。
【００７０】
下パネル50に配置されたには、第３メインリール90には、カタカナの「イ」〜「ハ」の文字等を表示している。
なお、第３メインリール90の図柄として、カタカナの「イ」〜「ハ」の文字の３種類を例示したが、これに限定されず、実際には３種類以上の種類の図柄を用いている。また、第３メインリール90の図柄として、カタカナを用いたが、これに限定されず、他の文字や、絵、数字、記号等を用いても良い。
【００７１】
第１〜第３メインリール70,80,90の停止時の図柄のラインは、第１〜第３メインリール70,80,90の中央の図柄を基準としている。すなわち、第１メインリール70の中央の「Ｂ」、第２メインリール80の中央の「ｅ」、第３メインリール90の「ロ」がそれぞれ相当し、停止図柄の組み合わせは、「Ｂ、ｅ、ロ」となる。
なお、ラインの個数として、１本を例示したが、これに限定されず、複数本設けても良い。
（画像表示装置60に表示される第１〜第３サブリール61〜63の図柄）
つぎに、図４を用いて、画像表示装置60に表示される第１〜第３サブリール61〜63の図柄について説明する。
【００７２】
第１〜第３サブリール61〜63には、第１〜第３メインリール70,80,90と異なる図柄を表示させている。
具体的には、第１〜第３サブリール61〜63には、同じ種類の図柄が表示され、例えば「ベル」の絵を模した図柄、「７」の数字の図柄、フルーツの「チェリー」や「スイカ」の絵を模した図柄等を表示している。
【００７３】
なお、第１〜第３サブリール61〜63の図柄として、「ベル」の絵、「７」の数字、フルーツの「チェリー」や「スイカ」の絵の３種類を例示したが、これに限定されず、実際には３種類以上の種類の図柄を用いている。第１〜第３サブリール61〜63の図柄として、絵や数字を例示したが、これに限定されず、文字や記号等を使用しても良い。
（遊技の説明）
つぎに、上記した構成を備えるスロットマシン10により遊技について説明する。
【００７４】
まず、メダルの投入を条件に、スタートスイッチ120を操作すると、第１〜第３メインリールモータ71,81,91の駆動が開始され、３個の第１〜第３メインリール70,80,90の回転が開始される。
第１〜第３メインリールモータ71,81,91の駆動は、図２のメイン制御手段300のメインリール制御手段320により行われる。
【００７５】
同時に、スタートスイッチ120のスタート信号は、図２のメイン制御手段300の信号送信手段360を介して、サブ制御手段400の信号受信手段410に送信される。
このため、図２のサブ制御手段400の画像制御手段420のサブリール表示手段421により、画像表示装置60に表示した第１〜第３サブリール61〜63の図柄の変動を開始させる。
なお、本実施の形態では、第１〜第３サブリール61〜63の図柄を、第１〜第３メインリール70,80,90の回転と同時に変動を開始させたが、これに限定されず、第１〜第３サブリール61〜63の図柄の変動を遅れて開始させても良い。また、３個の第１〜第３サブリール61〜63の図柄の変動を同時に開始させたが、時間差を持たせて順番に変動を開始させても良い。
【００７６】
つぎに、３個の第１〜第３ストップスイッチ130〜132のいずれかを操作すると、対応する第１〜第３メインリール70,80,90の回転が停止する。
例えば、図１の向かって左側に位置する第１ストップスイッチ130を操作すると、上パネル30の上段に配置された第１メインリール70の回転が停止する。
すなわち、図２のメイン制御手段300のメインリール制御手段320が、第１メインリール70に対応する第１メインリールモータ71の駆動を停止させることで、当該第１メインリール70の回転が停止する。
【００７７】
同時に、第１ストップスイッチ130の第１ストップ信号は、図２のメイン制御手段300の信号送信手段360を介して、サブ制御手段400の信号受信手段410に送信される。
このため、図２の画像制御手段420のサブリール表示手段421は、画像表示装置60に表示した第１サブリール61の図柄の変動を停止させる。
すなわち、左側の第１ストップスイッチ130を操作すると、上パネル30の上段に配置された第１メインリール70の回転が停止し、同時に、左側の第１ストップスイッチ130の直上に表示された第１サブリール61の図柄の変動が停止する。
【００７８】
なお、第１メインリール70と第１サブリール61とを同時に停止させたが、これに限定されず、第１サブリール61の図柄の変動を遅れて停止させるようにしても良い。
つぎに、図１の中央に位置する第２ストップスイッチ131を操作すると、上パネル30の下段に配置された第２メインリール80の回転が停止する。
すなわち、図２のメイン制御手段300のメインリール制御手段320が、第２メインリール80に対応する第２リールモータ81の駆動を停止させることで、当該第２メインリール80の回転が停止する。
【００７９】
同時に、第２ストップスイッチ131の第２ストップ信号は、図２のメイン制御手段300の信号送信手段360を介して、サブ制御手段400の信号受信手段410に送信される。
このため、図２の画像制御手段420のサブリール表示手段421は、画像表示装置60に表示した第２サブリール62の図柄の変動を停止させる。
すなわち、中央の第２ストップスイッチ131を操作すると、上パネル30の下段に配置された第２メインリール80の回転が停止し、同時に、中央の第２ストップスイッチ131の直上に表示された第２サブリール62の図柄の変動が停止する。
【００８０】
なお、第２メインリール80と第２サブリール62とを同時に停止させたが、これに限定されず、第２サブリール62の図柄の変動を遅れて停止させるようにしても良い。
最後に、図１の向かって右側に位置する第３ストップスイッチ132を操作すると、下パネル50に配置された第３メインリール90の回転が停止する。
すなわち、図２のメイン制御手段300のメインリール制御手段320が、第３メインリール90に対応する第３リールモータ91の駆動を停止させることで、当該第３メインリール90の回転が停止する。
【００８１】
同時に、第３ストップスイッチ132の第３ストップ信号は、図２のメイン制御手段300の信号送信手段360を介して、サブ制御手段400の信号受信手段410に送信される。
このため、図２の画像制御手段420のサブリール表示手段421は、画像表示装置60に表示した第２サブリール62の図柄の変動を停止させる。
すなわち、右側の第３ストップスイッチ132を操作すると、下パネル50に配置された第３メインリール90の回転が停止し、同時に、右側の第３ストップスイッチ132の直上に表示された第３サブリール63の図柄の変動が停止する。
【００８２】
なお、第３メインリール90と第３サブリール63とを同時に停止させたが、これに限定されず、第３サブリール63の図柄の変動を遅れて停止させるようにしても良い。
（第２の実施の形態）
つぎに、図５及び図６を用いて、本発明の第２の実施の形態の一例について説明する。
本実施の形態の第１の特徴は、３個の第１〜第３メインリール510,520,530は、図５に示すように、中パネル20、上パネル30、下パネル50の３枚のパネルに１個ずつ分散して配置した点である。
【００８３】
本実施の形態の第２の特徴は、第１、第２サブリール540,550に、サブリール駆動源である第１、第２サブリールモータ541,551により回転する実リールを使用した点である。
（中パネル20）
中パネル20には、図５に示すように、次のパーツを配置している。
なお、中パネル20のパーツは、次の（１）〜（３）に限定されない。
【００８４】
（１）画像表示装置500
画像表示装置500は、中パネル20の中央に配置され、図示しないが、各種の演出画像を表示させるためのものである。
具体的には、画像表示装置500は、例えば液晶ユニットから構成されている。
なお、画像表示装置500として、液晶ユニットを例示したが、これに限定されず、例えばドット・マトリックス等から構成しても良い。
【００８５】
（２）第２メインリール520
第２メインリール520は、画像表示装置500の上側に配置されている。
第２メインリール520は、後述するが、上パネル30に配置された第１メインリール510、及び下パネル50に配置された第３メインリール530を含めて、少なくとも３個有り、メインリール軸Ｍを中心に回転可能に保持され、図示しないが、外周に複数種類の図柄が表示されたものである。
【００８６】
なお、第１〜第３メインリール510,520,530の個数として、３個を例示したが、これに限定されず、４個以上としても良い。
３個の第１〜第３メインリール510,520,530は、図５に示すように、同一直線上に配置される垂直のメインリール軸Ｍにそれぞれ横方向に回転可能に支持されるとともに、中パネル20、上パネル30、下パネル50の３枚のパネルに分散して配置されている。
【００８７】
第１〜第３メインリール510,520,530には、図６に示すように、メインリール駆動源として、例えば３個の第１〜第３メインリールモータ511,521,531を備える。
第１〜第３メインリールモータ511,521,531は、後述する図６の遊技制御装置200に接続され、第１〜第３メインリール510,520,530を個別に回転可能なものである。
なお、第１〜第３メインリールモータ511,521,531の個数を、第１〜第３メインリール510,520,530の個数と等しく設定したが、これに限定されず、第１〜第３メインリール510,520,530の個数と第１〜第３メインリールモータ511,521,531の個数とを異ならせても良い。
【００８８】
一方、第２メインリール520は、図５の中央の第２ストップスイッチ131の操作に連動し、当該第２ストップスイッチ131を操作すると、回転中の第２メインリール520が停止する。
（３）第１、第２サブリール540,550
第１、第２サブリール540,550は、少なくとも２個有り、メインリール軸Ｍと直交するとともに、同一直線上に配置されるサブリール軸Ｓを有し、当該サブリール軸Ｓを中心に回転可能に保持され、外周に複数種類の図柄が表示されたものである。
【００８９】
なお、第１、第２サブリール540,550の個数として、２個を例示したが、これに限定されず、３個以上としても良い。
第１、第２サブリール540,550には、図６に示すように、サブリール駆動源としての第１、第２サブリールモータ541,551を備える。
第１、第２サブリールモータ541,551は、後述する図６の遊技制御装置200に接続され、第１、第２サブリール540,550を個別に回転可能なものである。
【００９０】
なお、第１、第２サブリールモータ541,551の個数を、第１、第２サブリール540,550の個数と等しく設定したが、これに限定されず、第１、第２サブリール540,550の個数と第１、第２サブリールモータ541,551の個数とを異ならせても良い。
（上パネル30）
上パネル30には、図５に示すように、次のパーツを配置している。
【００９１】
なお、上パネル30のパーツは、次の（１）に限定されない。
（１）第１メインリール510
第１メインリール510は、上パネル30に配置されている。
また、第１メインリール510は、図５の左側の第１ストップスイッチ130の操作に連動し、当該第１ストップスイッチ130を操作すると、回転中の第１メインリール510が停止する。
（下パネル50）
下パネル50には、図５に示すように、次のパーツを配置している。
【００９２】
なお、下パネル50のパーツは、次の（１）に限定されない。
（１）第３メインリール530
第３メインリール530は、下パネル50に配置されている。
また、第３メインリール530は、図５の右側の第３ストップスイッチ132の操作に連動し、当該第３ストップスイッチ132を操作すると、回転中の第３メインリール530が停止する。
（遊技制御装置200）
遊技制御装置200のメイン制御手段300の出力段には、図６に示すように、次のパーツがそれぞれ接続されている。
【００９３】
なお、メイン制御手段300の出力段に接続されるパーツは、次の（１）〜（３）に限定されない。
（１）第１〜第３メインリールモータ511,521,531（メインリール駆動源）
（２）ホッパーユニット160
（３）サブ制御手段400
遊技制御装置200のサブ制御手段400には、図６に示すように、次の手段を備える。
【００９４】
なお、サブ制御手段400の手段は、次の（４）〜（７）に限定されない。
（４）信号受信手段410
（５）画像制御手段420
（６）効果音発生手段430
（７）サブリール制御手段560
サブリール制御手段560は、第１、第２サブリールモータ541,551の駆動を制御するためのものである。
【００９５】
サブ制御手段400の出力段には、図６に示すように、次のパーツがそれぞれ接続されている。
なお、サブ制御手段400の出力段に接続されるパーツは、次の（８）〜（１０）に限定されない。
（８）第１、第２サブリールモータ541,551（サブリール駆動源）
（９）画像表示装置500
（１０）スピーカ150
（遊技の説明）
つぎに、上記した構成を備えるスロットマシン10により遊技について説明する。
【００９６】
まず、メダルの投入を条件に、スタートスイッチ120を操作すると、第１〜第３メインリールモータ511,521,531の駆動が開始され、３個の第１〜第３メインリール510,520,530の回転が開始される。
第１〜第３メインリールモータ511,521,531の駆動は、図６のメイン制御手段300のメインリール制御手段320により行われる。
【００９７】
同時に、スタートスイッチ120のスタート信号は、図６のメイン制御手段300の信号送信手段360を介して、サブ制御手段400の信号受信手段410に送信される。
このため、図６のサブ制御手段400のサブリール制御手段560により、第１、第２サブリールモータ541,551の駆動が開始され、２個の第１、第２サブリール540,550の回転が開始される。
【００９８】
なお、本実施の形態では、第１、第２サブリール540,550の回転を、第１〜第３メインリール510,520,530の回転と同時に開始させたが、これに限定されず、第１、第２サブリール540,550の回転を遅れて開始させても良い。また、２個の第１、第２サブリール540,550の回転を同時に開始させたが、時間差を持たせて順番に変動を開始させても良い。
つぎに、３個の第１〜第３ストップスイッチ130〜132のいずれかを操作すると、対応する第１〜第３メインリール510,520,530の回転が停止する。
【００９９】
例えば、図６の向かって左側に位置する第１ストップスイッチ130を操作すると、上パネル30に配置された第１メインリール510の回転が停止する。
すなわち、図６のメイン制御手段300のメインリール制御手段320が、第１メインリール510に対応する第１メインリールモータ511の駆動を停止させることで、当該第１メインリール510の回転が停止する。
【０１００】
同時に、第１ストップスイッチ130の第１ストップ信号は、図６のメイン制御手段300の信号送信手段360を介して、サブ制御手段400の信号受信手段410に送信される。
このため、図６のサブリール制御手段560が、第１サブリールモータ541の駆動を停止させることで、向かって左側の第１サブリール540の回転が停止する。
すなわち、左側の第１ストップスイッチ130を操作すると、上パネル30に配置された第１メインリール510の回転が停止し、同時に、左側の第１サブリール540の回転を停止する。
【０１０１】
なお、第１メインリール510と第１サブリール540とを同時に停止させたが、これに限定されず、第１サブリール540の回転を遅れて停止させるようにしても良い。
つぎに、図６の中央に位置する第２ストップスイッチ131を操作すると、中パネル20に配置された第２メインリール520の回転が停止する。
すなわち、図６のメイン制御手段300のメインリール制御手段320が、第２メインリール520に対応する第２リールモータ81の駆動を停止させることで、当該第２メインリール520の回転が停止する。
【０１０２】
最後に、図６の向かって右側に位置する第３ストップスイッチ132を操作すると、下パネル50に配置された第３メインリール530の回転が停止する。
すなわち、図６のメイン制御手段300のメインリール制御手段320が、第３メインリール530に対応する第３リールモータ91の駆動を停止させることで、当該第３メインリール530の回転が停止する。
【０１０３】
同時に、第３ストップスイッチ132の第３ストップ信号は、図６のメイン制御手段300の信号送信手段360を介して、サブ制御手段400の信号受信手段410に送信される。
このため、図６のサブリール制御手段560が、第２サブリールモータ551の駆動を停止させることで、向かって右側の第２サブリール550の回転が停止する。
すなわち、右側の第３ストップスイッチ132を操作すると、下パネル50に配置された第３メインリール530の回転が停止し、同時に、右側の第２サブリール550の回転を停止する。
【０１０４】
なお、第３メインリール530と第２サブリール550とを同時に停止させたが、これに限定されず、第２サブリール550の回転を遅れて停止させるようにしても良い。
【図面の簡単な説明】
【０１０５】
【図１】本発明の第１の実施の形態の一例を示し、同図はスロットマシンの概略正面図である。
【図２】スロットマシンの動作を説明するための概略ブロック図である。
【図３】メインリールの拡大正面図である。
【図４】画像表示装置に表示されたサブルールとストップスイッチとの拡大正面図である。
【図５】本発明の第２の実施の形態の一例を示し、同図はスロットマシンの概略正面図である。
【図６】スロットマシンの動作を説明するための概略ブロック図である。
【符号の説明】
【０１０６】
（第１の実施の形態）
10  スロットマシン
20  中パネル                    30  上パネル
40  操作パネル                  50  下パネル
60  画像表示装置
70,80,90  第１〜第３メインリール
71,81,91  メインリールモータ（メインリール駆動源）
Ｍ  メインリール軸
100  メダル投入口               101  メダルセンサー
110  ベットスイッチ             120  スタートスイッチ
130〜132  第１〜第３ストップスイッチ
140  メダル貯留皿               150  スピーカ
160  ホッパーユニット
200  遊技制御装置
300  メイン制御手段
310  役抽選手段                 320  メインリール制御手段
330  一般遊技制御手段           340  特別遊技制御手段
350  利益付与手段               360  信号送信手段
400  サブ制御手段               410  信号受信手段
420  画像制御手段               421  サブリール表示手段
430  効果音発生手段
（第２の実施の形態）
500  画像表示装置
510,520,530  第１〜第３メインリール
511,521,531  メインリールモータ（メインリール駆動源）
540,550  第１、第２サブリール
541,551  第１、第２サブリールモータ（サブリール駆動源）
Ｓ  サブリール軸
560  サブリール制御手段
【図１】
0005137069.tif 000002
【図２】
0005137069.tif 000003
【図３】
0005137069.tif 000004
【図４】
0005137069.tif 000005
【図５】
0005137069.tif 000006
【図６】
0005137069.tif 000007